(57)【要約】【課題】電子機器のキャリングケースにおいて、省スペース保管や安定した積み重ねを実現する。【解決手段】キャリングケースの上下の面及び少なくとも一対の側面の両方について、相対する面の一方及び他方のそれぞれの対応する位置に、互いに嵌る凸部及び凹部（例えば、上下の方向については凸部となる脚部１６−１〜１６−４及び凹部となる受けブロック１４−１〜１４−４、側面の方向については凸部となる外装凸部１７−１〜１７−４及び凹部となる外装凹部１５−１〜１５−４）のそれぞれを設けた。異なるキャリングケースに設けられた前記凸部及び前記凹部の嵌り込みにより、複数のキャリングケースが上下の方向及び側面の方向で積み重ねられることが可能である。【選択図】  図１
2012056585.tif 000002
【特許請求の範囲】
【請求項１】
電子機器のキャリングケースにおいて、
当該キャリングケースの上下の面及び少なくとも一対の側面の両方について、相対する面の一方及び他方のそれぞれの対応する位置に、互いに嵌る凸部及び凹部のそれぞれを設け、
異なるキャリングケースに設けられた前記凸部及び前記凹部の嵌り込みにより、複数のキャリングケースが上下の方向及び側面の方向で積み重ねられることが可能である、
ことを特徴とするキャリングケース。
【発明の詳細な説明】
【技術分野】
【０００１】
本発明は、例えば、テレビ放送用の無線中継移動体通信機器等のキャリングケースに関し、特に、省スペース保管や安定した積み重ねを実現するキャリングケースに関する。
【背景技術】
【０００２】
例えば、テレビ放送用の無線中継移動体通信機器は、屋内、屋外において中継又はライブの映像を送信、受信する放送業務で用いられており、国内及び海外で広く利用されている。
中継の場合には、各局から中継現場へ出向くことが多く、機器の運搬用や保管用にキャリングケースを用いることが多い。
【０００３】
図６（ａ）、（ｂ）には、従来例に係るキャリングケースの外観の一例を示してある。図６（ａ）は平面図であり、図６（ｂ）は正面図である。
近年では、同一の地域に複数の局があり、一ヵ所の中継地点にスタッフや放送機材が集中し、各局の機材使用範囲が狭くなる傾向にある。このため、キャリングケースは、平置きにされるか、或いは、不安定な状態で積み重ねられていたため、省スペースに対応することが要求されていた。
【先行技術文献】
【特許文献】
【０００４】
【特許文献１】特開平８−１４８５３８号公報
【特許文献２】特開２０１０−３９００２号公報
【特許文献３】特開２００３−７２８８１号公報
【発明の概要】
【発明が解決しようとする課題】
【０００５】
上述のように、従来のキャリングケースの構造では、改良の余地があり、例えば、省スペース保管が可能であることや、積み重ねられる構造であることや、積み重ねても崩れにくい構造であること、といった点で更なる改良が要求されていた。
本発明は、このような従来の事情に鑑み為されたもので、省スペース保管や安定した積み重ねを実現することができるキャリングケースを提供することを目的とする。
【課題を解決するための手段】
【０００６】
上記目的を達成するため、本発明では、電子機器のキャリングケースにおいて、次のような構成とした。
すなわち、当該キャリングケースの上下の面及び少なくとも一対の側面の両方について、相対する面の一方及び他方のそれぞれの対応する位置に、互いに嵌る凸部及び凹部のそれぞれを設けた。
そして、異なるキャリングケースに設けられた前記凸部及び前記凹部の嵌り込みにより、複数のキャリングケースが上下の方向及び側面の方向で積み重ねられることが可能である。
【０００７】
ここで、相対する上下の面の一方に凸部を設け他方に凹部を設ける構造や、相対する側面の一方に凸部を設け他方に凹部を設ける構造については、例えば、いずれに凸部を設ける構造が用いられてもよい。
また、１つの面に設けられる凸部（或いは、凹部）の数や位置としては、種々な態様が用いられてもよい。
また、対となる凸部と凹部は、互いに嵌ればよく、凸部や凹部としては、それぞれ、種々な形状のものが用いられてもよく、また、例えば、設けられる面に対して、突起する位置に存在するような配置で設けられてもよく、或いは、へこむ位置に存在するような配置で設けられてもよい。
【発明の効果】
【０００８】
以上説明したように、本発明に係るキャリングケースによると、省スペース保管や安定した積み重ねを実現することができる。
【図面の簡単な説明】
【０００９】
【図１】本発明の一実施例に係るキャリングケースの外観の一例を示す図である。
【図２】本発明の一実施例に係るキャリングケースの蓋部側と上面の斜視図である。
【図３】本発明の一実施例に係るキャリングケースの収納部側と下面の斜視図である。
【図４】（ａ）〜（ｃ）はキャリングケースの横積みについて説明するための図である。
【図５】（ａ）〜（ｃ）はキャリングケースの縦積みについて説明するための図である。
【図６】（ａ）、（ｂ）は従来例に係るキャリングケースの外観の一例を示す図である。
【発明を実施するための形態】
【００１０】
本発明に係る実施例を図面を参照して説明する。
本実施例に係るキャリングケースは、例えば、無線機や通信機等の電子機器を内部に収納して、それを運搬や保管等するために使用される。
図１（ａ）、（ｂ）には、本発明の一実施例に係るキャリングケースの外観の一例を示してある。図１（ａ）は平面図であり、図１（ｂ）は正面図である。
図２は、本例のキャリングケースの蓋部側と上面の斜視図である。
図３は、本例のキャリングケースの収納部側と下面の斜視図である。
【００１１】
本例のキャリングケースは、ケースの蓋部１１と、ケースの収納部１２から構成されている。ケースの蓋部１１とケースの収納部１２は、下面で回転可能にヒンジで固定されており、上面では開閉可能に留め金が設けられている。
トッテ１３が、ケースの収納部１２（又は、ケースの蓋部１１でもよい）の上面に設けられている。
【００１２】
本例のキャリングケースの下面の四隅には、突起状の脚部１６−１〜１６−４が設けられており、つまり、ケースの蓋部１１の下面の両端に１つずつ脚部１６−２、１６−３が設けられているとともに、ケースの収納部１２の下面の両端に１つずつ脚部１６−１、１６−４が設けられている。
また、これらの脚部１６−１〜１６−４に対応する位置に、本例のキャリングケースの上面の四隅には、脚部が嵌る窪みを有する形状の受けブロック１４−１〜１４−４が設けられており、つまり、ケースの蓋部１１の上面の両端に１つずつ受けブロック１４−２、１４−３が設けられているとともに、ケースの収納部１２の上面の両端に１つずつ受けブロック１４−１、１４−４が設けられている。
【００１３】
ケースの収納部１２の側面の四隅には、突起状の外装凸部１７−１〜１７−４が設けられている。外装凸部１７−１〜１７−４は、それぞれ、本例では、楕円の丘に似た形状を有しており、楕円の長い方の軸が側面の四隅から側面の内側へ向かっている。
また、これらの外装凸部１７−１〜１７−４に対応する位置に、ケースの蓋部１１の側面の四隅には、外装凸部が嵌る窪みを有する形状の外装凹部１５−１〜１５−４が設けられている。
【００１４】
本例のキャリングケースの積み重ねのための構造について説明する。
図４（ａ）〜図４（ｃ）を参照して、キャリングケースの横積みについて説明する。
図４（ａ）には、横積みされる（側面同士を合わせて積み重ねられる）対象となる２つのキャリングケース１０１、１０２を示してある。図４（ｂ）は、ケースの蓋部１１に設けられた１つの外装凹部１５と、それに対応してケースの収納部１２に設けられた１つの外装凸部１７に着目した場合における、凹凸面の断面図である。図４（ｃ）には、横積みされた状態にある２つのキャリングケース１０１、１０２を示してある。
【００１５】
本例では、図４（ｂ）に示されるように、ケースの蓋部１１の側に凹部（外装凹部）を成型するとともに、ケースの収納部１２の側に凸部（外装凸部）を成型してあり、これらが互いに嵌り合うことで、キャリングケース１０１、１０２を横向きに積み重ねることが可能である。
また、本例のように、外装凹部１５−１〜１５−４及び外装凸部１７−１〜１７−４の凹部及び凸部について、傾斜角度を緩やかにすることで一層、キャリングケースの自重で自然に安定した状態にすることができ、崩れ防止を図ることができる。
【００１６】
図５（ａ）〜図５（ｃ）を参照して、キャリングケースの縦積みについて説明する。
図５（ａ）には、縦積みされる（一方の下面と他方の上面を合わせて積み重ねられる）対象となる２つのキャリングケース１０３、１０４を示してある。図５（ｂ）は、ケースの下面に設けられた１つの脚部１６と、それに対応してケースの上面に設けられた１つの受けブロック１４に着目した場合における、脚部と受けブロックの詳細図である。図５（ｃ）には、縦積みされた状態にある２つのキャリングケース１０３、１０４を示してある。
【００１７】
本例では、キャリングケースを縦方向に積み重ねるために、図５（ｂ）に示されるように、トッテ面（上面）に、４つの脚部１６−１〜１６−４を受けるブロック（受けブロック）１４−１〜１４−４を取り付けてある。そして、受けブロック１４−１〜１４−４としては、脚部１６−１〜１６−４の形状に合うように中央をＲ形状にすることで一層、脚部１６−１〜１６−４が嵌り込み、キャリングケースの自重で安定した状態にすることができ、崩れ防止を図ることができる。
また、本例では、受けブロック１４−１〜１４−４の取り付け面（上面）には、トッテ１３等の部品があり、部品に干渉しないような高さも必要になるため、上面から突起した受けブロック１４−１〜１４−４がスペーサの役割も兼ねている構造となる。
【００１８】
以上のように、本例では、電子機器のキャリングケースにおいて、キャリングケースの相対する面にそれぞれ凹部と凸部を設け、これにより、複数のキャリングケースを運搬や保管する際に、縦向きや横向きに積み重ねられるようにすることができ、積み重ね及び省スペース保管を可能とした。
【００１９】
具体的には、本例では、キャリングケースの外装について、例えば圧空成型法により、製作を取り入れ、表裏対称の凹凸形状（本例では、外装凹部１５−１〜１５−４、外装凸部１７−１〜１７−４）とし、これにより、積み重ねた際に互いに嵌り込むことで横向きに安定して積み重ねられるようにした。また、本例では、キャリングケースの底面に設けられている脚部１６−１〜１６−４が嵌り込む構造の受けブロック１４−１〜１４−４をトッテ面（上面）に４箇所取り付けることで、縦方向に安定して積み重ねられるようにした。
【００２０】
従って、本例では、屋内や屋外で用いられる電子機器に使用するキャリングケースにおいて、複数個のキャリングケースを運搬や保管する際に、縦向きや横向きに積み重ねられることにより、省スペースでの保管や、安定した積み重ねが可能になる。
【００２１】
具体的には、本例のキャリングケースでは、ケース外装の表裏面にある凹凸部（本例では、外装凹部１５−１〜１５−４、外装凸部１７−１〜１７−４）が互いに嵌り込むことで、横向きに安定して積み重ねることが可能になる。また、本例のキャリングケースでは、ケース上部に底面の脚部１６−１〜１６−４が嵌り込む受けブロック１４−１〜１４−４を設けることで、脚部１６−１〜１６−４が固定され、縦方向への安定した積み重ねが可能になる。また、本例のキャリングケースでは、例えば、縦方向へ積み重ねることで、状況に応じて、省スペース保管が可能になる。
【００２２】
なお、本例では、電子機器のキャリングケースにおいて、当該キャリングケースの上下の面及び少なくとも一対の側面の両方について、相対する面の一方及び他方のそれぞれの対応する位置に、互いに嵌る凸部及び凹部（本例では、上下の方向については凸部となる脚部１６−１〜１６−４及び凹部となる受けブロック１４−１〜１４−４、側面の方向については凸部となる外装凸部１７−１〜１７−４及び凹部となる外装凹部１５−１〜１５−４）のそれぞれを設け、異なるキャリングケースに設けられた前記凸部及び前記凹部の嵌り込み（上下の方向での嵌り込みや、側面の方向での嵌り込み）により、複数のキャリングケースが上下の方向及び側面の方向で積み重ねられることが可能である。
【符号の説明】
【００２３】
１１・・ケース（蓋部）、  １２・・ケース（収納部）、  １３・・トッテ、  １４、１４−１〜１４−４・・受けブロック、  １５、１５−１〜１５−４・・外装凹部、  １６、１６−１〜１６−４・・脚部、  １７、１７−１〜１７−４・・外装凸部、  １０１〜１０４・・キャリングケース、
【図１】
2012056585.tif 000003
【図２】
2012056585.tif 000004
【図３】
2012056585.tif 000005
【図４】
2012056585.tif 000006
【図５】
2012056585.tif 000007
【図６】
2012056585.tif 000008